(57)【要約】【課題】  粘着テープ等の装着用具を必要とせずに、ビンを収納したビン運搬ケースの側壁に配置された側壁貫通穴に容易に装着し、閉塞することができ、収納したビンを取り除かなければ、容易に取り外しができないビン運搬ケース用の販促表示デバイスを得る。【解決手段】  側壁貫通穴に対応してこの側壁貫通穴に装着し閉塞する、販売促進用の表示をする販促表示部と、販促表示部から上方に延び、側壁貫通穴の外側から内側に挿入される上部挿入舌片と、販促表示部から下方に延び、側壁貫通穴の外側から内側に挿入される下部挿入舌片と、この下部挿入舌片に備えられた、仕切板の下端に係合する鉤部と、を有するビン運搬ケース用の販促表示デバイス。【選択図】  図１
0003104868.tif 000002
【実用新案登録請求の範囲】
【請求項１】
ビン運搬ケースの４つの側壁にそれぞれ形成されている側壁貫通穴に着脱する半硬質材料からなる販促表示デバイスであって、
前記ビン運搬ケースは、前記４つの側壁がその周縁から立ち上がる底壁と、内部を矩形のビン収納部に仕切る、下端が前記底壁から離間した仕切板とを有し、
前記販促表示デバイスは、
前記側壁貫通穴に対応して該側壁貫通穴を閉塞する、販売促進用表示をする販促表示部と、
前記販促表示部から上方に延び、前記側壁貫通穴の外側から内側に挿入される上部挿入舌片と、
前記販促表示部から下方に延び、前記側壁貫通穴の外側から内側に挿入される下部挿入舌片と、
この下部挿入舌片に備えられた、前記仕切板の前記下端に係合する鉤部と、
を有することを特徴とするビン運搬ケース用の販促表示デバイス。
【請求項２】
請求項１記載のビン運搬ケース用の販促表示デバイスにおいて、
前記ビン運搬ケースは、各側壁の外面に、側壁貫通穴の上下に位置させてそれぞれ左右に離間した各一対の縦リブを有し、
前記販促表示デバイスは、その販促表示部にこれらの縦リブに係合する複数の横係止スリットを有しているビン運搬ケース用の販促表示デバイス。
【請求項３】
請求項２記載のビン運搬ケース用の販促表示デバイスにおいて、
前記ビン運搬ケースの各一対の対向する側壁は、左右方向の長さが異なる幅広側壁と幅狭側壁とからなり、幅広側壁の側壁貫通穴は幅広貫通穴、幅狭側壁の側壁貫通穴は幅狭貫通穴からなっていて、前記縦リブの間隔が幅広貫通穴と幅狭貫通穴で異なり、
前記販促表示デバイスの販促表示部には、これら幅広貫通穴と幅狭貫通穴用の対をなす縦リブに対応する横係止スリットがそれぞれ形成されているビン運搬ケース用の販促表示デバイス。
【請求項４】
請求項１ないし３のいずれか１項記載のビン運搬ケース用の販促表示デバイスにおいて、前記下部挿入舌片の鉤部は、複数が備えられているビン運搬ケース用の販促表示デバイス。
【請求項５】
請求項４記載のビン運搬ケース用の販促表示デバイスにおいて、
前記ビン運搬ケースの各一対の対向する側壁は、左右方向の長さが異なる幅広側壁と幅狭側壁とからなっていて、幅広側壁の側壁貫通穴は幅広貫通穴、幅狭側壁の側壁貫通穴は幅狭貫通穴からなり、内部の上記仕切板は幅広貫通穴と幅狭貫通穴の中心に関して非対称の位置にあり、
前記複数の鉤部は、該販促表示デバイスを幅広貫通穴に装着するときと幅狭貫通穴に装着するときにそれぞれ仕切板下縁に係合する位置に備えられているビン運搬ケース用の販促表示デバイス。
【請求項６】
請求項１ないし５のいずれか１項記載のビン運搬ケース用の販促表示デバイスにおいて、該販促表示デバイスは遮光性材料からなっているビン運搬ケース用の販促表示デバイス。
【考案の詳細な説明】
【技術分野】
【０００１】
本考案は、例えば、ビールの大ビンの運搬ケースに取り付けてＰＯＰ広告に使用する販促表示デバイスに関するものである。
【背景技術】
【０００２】
ビンの運搬ケースに使用する販促表示デバイスは、紙製のものが用いられている。この紙製の販促表示デバイスは、ケースの側壁に形成される貫通穴に対応する大きさを有し、粘着テープ等の装着用具で貫通穴に装着し、これを閉塞することにより、同時に販売促進用の表示をする。
【考案の開示】
【考案が解決しようとする課題】
【０００３】
しかし、前記の紙製の販促表示デバイスを貫通穴に装着し、これを閉塞するためには、粘着テープ等の装着用具を必要とし、装着するための手間もかかる。さらに、前記の紙製の販促表示デバイスは、いたずら等により剥離され、劣化することがある。
【課題を解決するための手段】
【０００４】
本考案によるビン運搬ケース用の販促表示デバイスは、ビン運搬ケースの４つの側壁にそれぞれ形成されている側壁貫通穴に着脱する半硬質材料からなる販促表示デバイスであって、前記ビン運搬ケースは、前記４つの側壁がその周縁から立ち上がる底壁と、内部を矩形のビン収納部に仕切る、下端が前記底壁から離間した仕切板とを有し、前記販促表示デバイスは、前記側壁貫通穴に対応して該側壁貫通穴を閉塞する、販売促進用表示をする販促表示部と、前記販促表示部から上方に延び、前記側壁貫通穴の外側から内側に挿入される上部挿入舌片と、前記販促表示部から下方に延び、前記側壁貫通穴の外側から内側に挿入される下部挿入舌片と、この下部挿入舌片に備えられた、前記仕切板の前記下端に係合する鉤部と、を有することを特徴としている。
【０００５】
ビン運搬ケースには、各側壁の外面に、側壁貫通穴の上下に位置させてそれぞれ左右に離間した各一対の縦リブを有し、販促表示デバイスは、その販促表示部にこれらの縦リブに係合する複数の横係止スリットを設けることができる。
さらにビン運搬ケースの各一対の対向する側壁は、左右方向の長さが異なる幅広側壁と幅狭側壁とからなり、幅広側壁の側壁貫通穴は幅広貫通穴、幅狭側壁の側壁貫通穴は幅狭貫通穴からなっていて、縦リブの間隔が幅広貫通穴と幅狭貫通穴で異なり、販促表示デバイスの販促表示部には、これら幅広貫通穴用と幅狭貫通穴用の対をなす縦リブに対応する横係止スリットをそれぞれ形成することが望ましい。
【０００６】
本考案によるビン運搬ケース用の販促表示デバイスには、下部挿入舌片の鉤部を複数設けることができる。さらに、ビン運搬ケースの各一対の対向する側壁は、左右方向の長さが異なる幅広側壁と幅狭側壁とからなっていて、幅広側壁の側壁貫通穴は幅広貫通穴、幅狭側壁の側壁貫通穴は幅狭貫通穴からなり、内部の前記仕切板は幅広貫通穴と幅狭貫通穴の中心に関して非対称の位置にあり、前記複数の鉤部は、該販促表示デバイスを幅広貫通穴に装着するときと幅狭貫通穴に装着するときにそれぞれ仕切板の下縁（下端）に係合する位置に設けられている。
【０００７】
本考案によるビン運搬ケース用の販促表示デバイスは、遮光性材料からなっていることが望ましい。
【考案の効果】
【０００８】
本考案によるビン運搬ケース用の販促表示デバイスは、粘着テープ等の装着用具を必要とせず、ビンを収納したビン運搬ケースの側壁に配置された側壁貫通穴に容易に装着し、閉塞することができ、収納したビンを取り除かなければ、容易に取り外しができないので、本考案の販促表示デバイスの盗難等を防止することができる。
本考案の販促表示デバイスは、半硬質材料からなっているため劣化の程度が少なく、長期間使用することもできるビン運搬ケース用の販促表示デバイスを得ることができる。
なお、本考案による販促表示デバイスはビン運搬ケースの幅広貫通穴、幅狭貫通穴の両貫通穴に対応し、それぞれに装着し閉塞することができる。
【考案を実施するための最良の形態】
【０００９】
図１に示すように、ビン運搬ケース１００は、底壁１０とこの底壁１０の四辺から立ち上がる４つの側壁１１と、それぞれに形成されている側壁貫通穴１２と、内部を矩形のビン収納部に仕切る仕切板１３を有し、例えばビールの大瓶に使用するときは、縦５本×横４本の２０本を収納することができる。ビン運搬ケース用販促表示デバイス２０は、側壁貫通穴１２に着脱し、販売促進用の表示をする。
【００１０】
底壁１０は、縦５個×横４個の２０個のビン収納部を並べた広さに対応する地面に平行な平面である。
【００１１】
側壁１１は、５個のビン収納部を並べた長さに対応する横幅を有する幅広側壁１１ａと、４個の前記収納部を並べた長さに対応する横幅を有する幅狭側壁１１ｂとから形成される。
【００１２】
側壁貫通穴１２は、縦幅は等しく横幅が異なる幅広貫通穴１２ａと幅狭貫通穴１２ｂとがある。幅広貫通穴１２ａは、幅広側壁１１ａに形成されている側壁貫通穴であり、３個のビン収納部を並べた長さに対応する横幅を設けている。幅狭貫通穴１２ｂは、幅狭側壁１１ｂに形成されている側壁貫通穴であり、２個のビン収納部を並べた長さに対応する横幅を設けている。これらの幅広貫通穴１２ａと幅狭貫通穴１２ｂとのそれぞれの左縁と右縁には、縦リブ３０が形成されている。
【００１３】
縦リブ３０は、幅広貫通穴１２ａと幅狭貫通穴１２ｂには、これらの中心から異なる距離上に上下方向に位置させて、それぞれ左右に離間し、側壁１１から外側に向いた縦リブ３０ａと縦リブ３０ｂとが形成されている。
【００１４】
仕切板１３は、ビン運搬ケース１００の内部を矩形のビン収納部に仕切り、下端が底壁１０から離間している。仕切板１３は、幅広側壁１１ａまたは幅狭側壁１１ｂと平行に位置し、それらは幅広貫通穴１２ａと幅狭貫通穴１２ｂの中心に関して非対称の位置にある。
【００１５】
図２に示すように、ビン運搬ケース用販促表示デバイス２０は、販売促進用表示をする販促表示部２１と、側壁貫通穴１２の外側から内側に挿入される上部挿入舌片２２と、側壁貫通穴１２の外側から内側に挿入される下部挿入舌片２３と、横係止スリット４０とを有している。
【００１６】
販促表示部２１は、その表面に印刷またはシートを貼付けることにより販売促進用の表示をする。販促表示部２１は、その材料が遮光性を有する場合、もしくはその表面に遮光性を有する塗料またはシートを施す場合、いずれか、またはそれらの組み合わせからなり、側壁貫通穴１２を遮光することもできる。販促表示部２１は、幅広貫通穴１２ａと同等の大きさであり、幅広貫通穴１２ａと幅狭貫通穴１２ｂの両方を覆うことができる。
【００１７】
上部挿入舌片２２は、販促表示部２１から上方に延びる１枚の板状の舌片であり、側壁貫通穴１２の外側から内側に挿入される。この板状舌片は複数の帯状舌片であってもよい。それらは完全な板状である必要はなく湾曲状であってもよい。また、販促表示部２１よりも左右方向の幅は狭く、さらに、幅狭貫通穴１２ｂの左右方向の幅よりも狭い方がよい。
【００１８】
下部挿入舌片２３は、販促表示部２１から下方に延びる複数の帯状の舌片であり、分離スリット２５と、これらにより分離された内側舌片２３ａと外側舌片２３ｂと、鉤部２４を有している。なお、下部挿入舌片２３は、完全な帯状である必要はなく湾曲状あってもよい。
分離スリット２５は、幅広貫通穴１２ａに挿入し、仕切板１３と対応して下部挿入舌片２３に設けられた分離スリット２５ａと、幅狭貫通穴１２ｂに挿入し、仕切板１３と対応して下部挿入舌片２３に設けられた分離スリット２５ｂからなる。
内側舌片２３ａは、幅広貫通穴１２ａに挿入し、ビン運搬ケース１００内部に収納したビンと幅広側壁１１ａの内側の間隙に挿入する下部挿入舌片２３が仕切板１３に対応する位置に設けられた分離スリット２５ａにより分離される帯状の舌片であり、その下端に内側鉤部２４ａを設けている。
外側舌片２３ｂは、幅狭貫通穴１２ｂに挿入し、ビン運搬ケース１００内部に収納したビンと幅狭側壁１１ｂの内壁の間隙に挿入する下部挿入舌片２３が仕切板１３に対応する位置に設けられた分離スリット２５ｂにより分離される帯状の舌片であり、その下端に外側鉤部２４ｂを設けている。
鉤部２４は、前記内側鉤部２４ａと前記外側鉤部２４ｂとからなり、内側鉤部２４ａは、内側舌片２３ａに設けられてビン運搬ケース用販促表示デバイス２０の中心線から左右に向き、外側鉤部２４ｂは、外側舌片２３ｂに設けられてビン運搬ケース用販促表示デバイス２０の中心線から左右に向いて設けられている。
ビン運搬ケース１００内部にビンが収納されている場合において、ビン運搬ケース用販促表示デバイス２０を容易に取り外すことができないように仕切板１３の下縁（下端）と係合する。したがって、例えば、ビン運搬ケース用販促表示デバイス２０を「商品購入を条件とした抽選クジ」に使用した場合には、ビン運搬ケース用販促表示デバイス２０にクジを貼付けまたは印刷することにより、クジのみを獲得できないようにビン運搬ケース１００に装着し、いたずらや盗難等を防止することができる。
【００１９】
横係止スリット４０は、縦リブ３０ａと対応するビン運搬ケース用の販促表示デバイス２０の販促表示部２１の上下端に位置し、この縦リブ３０ａに係合する横係止スリット４０ａと縦リブ３０ｂと対応するビン運搬ケース用販促表示デバイス２０の販促表示部２１の上端に位置し、この縦リブ３０ｂに係合する横係止スリット４０ｂからなる。
【００２０】
ビン運搬ケース用の販促表示デバイス２０は、半硬質材料からなる。半硬質材料とは、変形可能で外力を除くと平板状に復帰することが可能であるという程の意味であり、例えば、プラスチックシート、硬質の紙があげられる。また、透明でも良いが、遮光性を有している材料からなることが望ましい。
【００２１】
図３から図６には、本考案によるビン運搬ケース用の販促表示デバイス２０が、ビン運搬ケース１００の側壁貫通穴１２に対応してこれを閉塞する態様を示している。
【００２２】
幅広貫通穴１２ａを閉塞する場合には、図４（ｂ）に示すように、幅広貫通穴１２ａの外側から内側へ下部挿入舌片２３を挿入し、内側舌片２３ａに設けられた内側鉤部２４ａを仕切板１３の下縁（下端）に係合させる。幅広貫通穴１２ａの外側から内側へ上部挿入舌片２２を挿入する。縦リブ３０ａに、販促表示部２１の上下端に位置する横係止スリット４０ａを係合させ、ビン運搬ケース用販促表示デバイス２０をビン運搬ケース１００の幅広貫通穴１２ａに対して容易に装着することができる。
また、図６に示すように、ビンを収納した複数のビン運搬ケース１００を積み重ねたままで、上記と同様にして、ビン運搬ケース用販促表示デバイス２０をビン運搬ケース１００の幅広貫通穴１２ａに対して容易に装着することもできる。
【００２３】
幅狭貫通穴１２ｂを閉塞する場合には、図４（ａ）に示すように、幅狭貫通穴１２ｂの外側から内側へ下部挿入舌片２３を挿入し、外側舌片２３ｂに設けられた外側鉤部２４ｂを仕切板１３の下縁（下端）に係合させる。幅狭貫通穴１２ｂの外側から内側へ上部挿入舌片２２を挿入する。縦リブ３０ｂに、販促表示部２１の上端に位置する横係止スリット４０ｂを係合させ、ビン運搬ケース用販促表示デバイス２０をビン運搬ケース１００の幅狭貫通穴１２ｂに対して容易に装着することができる。
また、図６に示すように、ビンを収納した複数のビン運搬ケース１００を積み重ねたままで、上記と同様にして、ビン運搬ケース用販促表示デバイス２０をビン運搬ケース１００の幅狭貫通穴１２ｂに対して容易に装着することもできる。
【図面の簡単な説明】
【００２４】
【図１】本考案の実施形態に係るビン運搬ケースの図である。
【図２】本考案の実施形態に係るビン運搬ケース用販促表示デバイスの図である。
【図３】本考案によるビン運搬ケース用販促表示デバイスが側壁貫通穴を閉塞する態様を示した図である。
【図４】本考案によるビン運搬ケース用販促表示デバイスが側壁貫通穴を閉塞し、ビン運搬ケースに装着した態様を示した断面図である。
【図５】縦リブと横係止スリット、仕切板と分離スリット、及び仕切板と鉤部の係合する態様を示した図である。
【図６】複数のビン運搬ケースを積み重ね、ビン運搬ケース用販促表示デバイスを装着した態様を示した図である。
【符号の説明】
【００２５】
１００  ビン運搬ケース
１０  底壁
１１  側壁
１２  側壁貫通穴
１３  仕切板
２０  ビン運搬ケース用販促表示デバイス
２１  販促表示部
２２  上部挿入舌片
２３  下部挿入舌片
２４  鉤部
２５  分離スリット
３０  縦リブ
４０  横係止スリット
【図１】
0003104868.tif 000003
【図２】
0003104868.tif 000004
【図３】
0003104868.tif 000005
【図４】
0003104868.tif 000006
【図５】
0003104868.tif 000007
【図６】
0003104868.tif 000008